(57)【要約】【課題】エアセル自体の形状や、構成を工夫することにより、マットレス全体としての複雑な構成を必要とせず、また、特別な付属装置も不要な、マットレス上の被介護者等の転落防止を可能とするエアセルを提供すること。【解決手段】上側空気室１２及び下側空気室１４からなり、上下間はエアが相互に流動するように形成し、さらに、給気口１８からエアが供給されると、上下とも同じ内圧となり、ベッドの長手方向に複数本並設することでエアマットを構成可能にする細長い袋状のエアセル１０の構成を、所定範囲における上側空気室１２のエア充填時の径が、他の範囲における上側空気室１２及び下側空気室１４それぞれのエア充填時の径よりも大きく設定し、所定範囲における上側空気室１２が、下側空気室１４及び他の範囲における上側空気室１２の何れよりも硬くなるようにした。【選択図】図１
2016158854.tif 000002
【特許請求の範囲】
【請求項１】
上側空気室及び下側空気室からなり、上下間はエアが相互に流動するように形成され、さらに、給気口からエアが供給されると、上下とも同じ内圧となるものであり、ベッドの長手方向に複数本並設することでエアマットを構成可能にする細長い袋状のエアセルであって、
当該エアセルの所定範囲における前記上側空気室のエア充填時の径が、他の範囲における前記上側空気室及び前記下側空気室それぞれのエア充填時の径よりも大きく設定されていることで、
前記所定範囲における上側空気室は、前記下側空気室及び前記他の範囲における上側空気室の何れよりも硬く構成されていることを特徴とするエアセル。
【請求項２】
前記所定範囲は、前記エアセルの長手方向両端側それぞれから、他端側に向けて所定長の範囲であることを特徴とする請求項１記載のエアセル。
【請求項３】
前記エアセルの長手方向両端側それぞれから、他端側に向けて所定長の範囲においての前記上側空気室の上面側が、他の範囲においての前記上側空気室の上面側よりも上方に盛り上がるよう構成されていることを特徴とする請求項２記載のエアセル。
【請求項４】
前記他の範囲における上側空気室は、第１空気室及び第２空気室に分けられているとともに、前記上側空気室のエア充填時の径は、前記第１空気室のエア充填時の径及び前記第２空気室のエア充填時の径の何れにも置き換えられるものであることを特徴とする請求項１〜３何れか１項記載のエアセル。
【発明の詳細な説明】
【技術分野】
【０００１】
本発明は、マットレスを構成するエアセルであって、詳しくは、マットレス上の被介護者等が、マットレスから転落することを防止可能とするエアセルに関するものである。
【背景技術】
【０００２】
従来から、床ずれ予防を目的としたエアマットレスは、空気圧を低く保つように設定されることが多く、床面が不安定になり易く、被介護者等の転落を防ぐ工夫が求められている。そこで、例えば、特許文献１のように、一時的に空気圧を高めて、マットレスの安定面を作る機能を搭載したり、主となるエアセルとは、別体の転落防止用エアセルが両端部に配置され、その両端部を盛り上げるように構成するといった工夫がされている。
【０００３】
また、特許文献２には、ベッドに取り付けられ使用者が落下することを予防する落下予防装置として、ベッド上に設置されたマットレスの上面より突出し一方の側面が前記マットレスの長手方向と平行な側面に接触するように配置されるサポート部本体と、このサポート部本体に脱着自在に取り付けられ前記サポート部本体を前記ベッドに取り付ける取り付け部材とを有し、前記サポート部本体はブロー成形法により形成された中空状の樹脂成形体であることを特徴とするものが開示されている。
【先行技術文献】
【特許文献】
【０００４】
【特許文献１】特開平１１−１０３９８０号公報
【特許文献２】特開２００５−８７４１２号公報
【発明の概要】
【発明が解決しようとする課題】
【０００５】
しかしながら、上記特許文献１に開示されているエアマットレスは、自動的に体位変換を行うには適しているが、その構成は、複雑なものとなってしまい、その結果、ランニングコストや、製造コストが高くなってしまうという問題が指摘されている。また、上記特許文献２に開示されている落下予防装置は、マットレスとは別の装置であることから、特許文献１と同様に、やはり、製造コストが、高くなってしまうという問題が生じる。
【０００６】
本発明は、上述の問題を解決するためのもので、エアセル自体の形状や、構成を工夫することにより、マットレス全体としての複雑な構成を必要とせず、また、特別な付属装置も不要な、マットレス上の被介護者等の転落防止を可能とするエアセルを提供することを目的としている。
【課題を解決するための手段】
【０００７】
上述の課題に対応するため、本発明は、以下の技術的手段を講じている。
即ち、請求項１記載の発明は、上側空気室及び下側空気室からなり、上下間はエアが相互に流動するように形成され、さらに、給気口からエアが供給されると、上下とも同じ内圧となるものであり、ベッドの長手方向に複数本並設することでエアマットを構成可能にする細長い袋状のエアセルであって、当該エアセルの所定範囲における前記上側空気室のエア充填時の径が、他の範囲における前記上側空気室及び前記下側空気室それぞれのエア充填時の径よりも大きく設定されていることで、前記所定範囲における上側空気室は、前記下側空気室及び前記他の範囲における上側空気室の何れよりも硬く構成されていることを特徴とするエアセルである。
【０００８】
また、請求項２記載の発明は、請求項１記載のエアセルであって、前記所定範囲は、前記エアセルの長手方向両端側それぞれから、他端側に向けて所定長の範囲であることを特徴としている。そして、請求項３記載の発明は、請求項２記載のエアセルであって、前記エアセルの長手方向両端側それぞれから、他端側に向けて所定長の範囲においての前記上側空気室の上面側が、他の範囲においての前記上側空気室の上面側よりも上方に盛り上がるよう構成されていることを特徴としている。
【０００９】
さらに、請求項４記載の発明は、請求項１〜３何れか１項記載のエアセルであって、前記他の範囲における上側空気室は、第１空気室及び第２空気室に分けられているとともに、前記上側空気室のエア充填時の径は、前記第１空気室のエア充填時の径及び前記第２空気室のエア充填時の径の何れにも置き換えられるものであることを特徴としている。
【発明の効果】
【００１０】
本発明によると、エアセルの所定範囲が、他の範囲よりも硬く構成されていることから、体圧分散性はそのままで、使い心地も良く、被介護者等にとって、安全な利用を提供することができる。また、その所定範囲をエアセルの長手方向両端側それぞれから、他端側に向けて所定長の範囲とすることで、さらなる安全性を担保できるようになる。さらに、エアセルの長手方向両端側それぞれから、他端側に向けて所定長の範囲を盛り上げた形状とすることで、別体の装置を用いることなく、主に、端座位における被介護者等の転落防止を図ることも可能となる。
【図面の簡単な説明】
【００１１】
【図１】本発明に係るエアセルの第１の実施形態を示した図で、（ａ）は側面図、（ｂ）は正面図、（ｃ）は斜視図である。
【図２】本発明に係るエアセルの第１の実施形態を示した図で、（ａ）は図１におけるＡ−Ａ模式断面図、（ｂ）は図１におけるＢ−Ｂ模式断面図である。
【図３】本発明に係るエアセルの第１の実施形態を示した図で、（ａ）はベッドの長手方向に複数本並設した状態を示した斜視図で、（ｂ）は矢印の方角から見た側面図である。
【図４】本発明に係るエアセルの第２の実施形態を示した図で、（ａ）は側面図、（ｂ）は正面図、（ｃ）は斜視図である。
【図５】本発明に係るエアセルの第２の実施形態を示した図で、（ｂ）は図４におけるＡ−Ａ模式断面図、（ｃ）は図４におけるＢ−Ｂ模式断面図である。
【図６】本発明に係るエアセルの第２の実施形態を示した図で、（ａ）はベッドの長手方向に複数本並設した状態を示した斜視図で、（ｂ）は矢印の方角から見た側面図である。
【発明を実施するための形態】
【００１２】
本発明に係るエアセルの第１の実施形態について図面を参照しながら説明する。
図１は、本発明に係るエアセルの第１の実施形態を示した図で、（ａ）は側面図、（ｂ）は正面図、（ｃ）は斜視図で、図２は、本発明に係るエアセルの第１の実施形態を示した図で、（ａ）は図１におけるＡ−Ａ模式断面図、（ｂ）は図１におけるＢ−Ｂ模式断面図である。また、図３は、本発明に係るエアセルの第１の実施形態を示した図で、（ａ）はベッドの長手方向に複数本並設した状態を示した斜視図で、（ｂ）は矢印の方角から見た側面図である。符号については、１０はエアセル、１２は上側空気室、１４は下側空気室、１６は吊り部材、１７は通気部、１８は給気口、２０はベッド、２２はエアマット、２４が第１の空気室、２６が第２の空気室を示している。
【００１３】
本実施形態におけるエアセル１０は、図１（ａ）、（ｃ）に示すように、細長い袋状に形成されているもので、図３（ａ）、（ｂ）に示すように、それらをベッド２０の長手方向に複数本並設することでエアマット２２を構成可能とするものである。また、エアセル１０は、図２に示すように、吊り部材１６によって、上下に、上側空気室１２と、下側空気室１４とに分けられており、この上下間は、吊り部材１６に形成されている通気部１７を通じて、エアが相互に流動できるようになっている。
【００１４】
さらに、上側空気室１２と、下側空気室１４は、通気部１７により相互に通じているため、給気口１８によりエアセル１０内部にエアが給気されると、同じ内圧となる。また、本実施形態においては、図１及び図２に示すように、上側空気室１２のうち、所定範囲においては、第１の空気室２４と、第２の空気室２６に分けられている。これは、上側空気室１２の所定部位を吊り部材１６に溶着させることにで、第１の空気室２４と、第２の空気室２６を相互に分けさせている。
【００１５】
なお、第１の空気室２４と、第２の空気室２６と、二つの空気室を設けるのは、エアが充填された際に、エアセル１０に荷重がかかると、第１の空気室２４と、第２の空気室２６が、それぞれ外側に逃げるように作用し、エアセル１０全体として潰れにくい構造となる。このため、内圧を低く保つことが可能となり、利用者への接触圧を軽減することができ、ソフト感を与えることができるからである。
【００１６】
そして、図２に示すように、エアセル１０の所定範囲における上側空気室１２のエア充填時の径ｄ１が、他の範囲における上側空気室１２を構成する第１の空気室２４のエア充填時の径ｄ２ａ、第２の空気室２６のエア充填時の径ｄ２ｂ及び下側空気室１４のエア充填時の径ｄ３それぞれよりも大きく設定されている。なお、本実施形態における所定範囲は、エアセル１０の長手方向両端側それぞれから、他端側に向けて所定長の範囲となっている。
【００１７】
ところで、エアセル１０の硬さに関しては、フープ応力という係数が関係し、このフープ応力σが大きければ、エアセル１０表面の張力が大きくなり、硬くなる。そして、フープ応力σは、次式（数式１）により求めることができるものである。
【００１８】
【数１】
2016158854.tif 000003
【００１９】
つまり、本実施形態におけるエアセル１０は、どの範囲においても、内圧及び膜厚は、同値であるため、径を個別に設定することにより、それぞれの範囲におけるフープ応力σを調整することができるわけである（数１参照）。従って、本実施形態においては、エアセル１０の所定範囲における上側空気室１２のエア充填時の径ｄ１が、他の範囲における上側空気室１２を構成する第１の空気室２４のエア充填時の径ｄ２ａ、第２の空気室２６のエア充填時の径ｄ２ｂ及び下側空気室１４のエア充填時の径ｄ３それぞれよりも大きく設定されていることから、エアセル１０の所定範囲における上側空気室１２の表面が、他の範囲の表面よりも硬くなっている。
【００２０】
このように、エアセル１０のうち、長手方向両端側それぞれから、他端側に向けて所定長の範囲が、他の範囲よりも硬くなっているため、体圧分散性はそのままで、使い心地も良く、被介護者等の転落を防止し、さらに、安全な利用をも提供することができるようになっている。なお、本実施形態では、上側空気室１２のうち、所定範囲においては、第１の空気室２４と、第２の空気室２６に分けられているが、これを分けずに１つの空気室として構成しても良い。
【００２１】
次に、本発明に係るエアセルの第２の実施形態について図面を参照しながら説明する。
図４は、本発明に係るエアセルの第２の実施形態を示した図で、（ａ）は側面図、（ｂ）は正面図、（ｃ）は斜視図で、図５は、本発明に係るエアセルの第２の実施形態を示した図で、（ｂ）は図４におけるＡ−Ａ模式断面図、（ｃ）は図４におけるＢ−Ｂ模式断面図である。そして、図６は、本発明に係るエアセルの第２の実施形態を示した図で、（ａ）はベッドの長手方向に複数本並設した状態を示した斜視図で、（ｂ）は矢印の方角から見た側面図である。なお、符号については、図１〜３に付したものと同様である。
【００２２】
本実施形態におけるエアセル１０は、図４（ａ）、（ｃ）に示すように、細長い袋状に形成されているもので、図６（ａ）、（ｂ）に示すように、それらをベッド２０の長手方向に複数本並設することでエアマット２２を構成可能とするものである。また、エアセル１０は、図５に示すように、吊り部材１６によって、上下に、上側空気室１２と、下側空気室１４とに分けられており、この上下間は、吊り部材１６に形成されている通気部１７を通じて、エアが相互に流動できるようになっている。
【００２３】
さらに、上側空気室１２と、下側空気室１４は、通気部１６により相互に通じているため、給気口１８によりエアセル１０内部にエアが給気されると、同じ内圧となる。本実施形態においては、図４及び図５に示すように、上側空気室１２のうち、所定範囲においては、第１の空気室２４と、第２の空気室２６に分けられている。これは、上側空気室１２の所定部位を吊り部材１６に溶着させることにで、第１の空気室２４と、第２の空気室２６を相互に分けさせている。
【００２４】
そして、図５に示すように、エアセル１０の所定範囲における上側空気室１２のエア充填時の径ｄ１が、他の範囲における上側空気室１２を構成する第１の空気室２４のエア充填時の径ｄ２ａ、第２の空気室２６のエア充填時の径ｄ２ｂ及び下側空気室１４のエア充填時の径ｄ３それぞれよりも大きく設定されている。なお、本実施形態における所定範囲は、エアセル１０の長手方向両端側それぞれから、他端側に向けて所定長の範囲となっている。
【００２５】
本実施形態におけるエアセル１０は、どの範囲においても、内圧及び膜厚は、同値であるため、径を個別に設定することにより、それぞれの範囲におけるフープ応力σを調整することができるのは上述の通りである（数１参照）。従って、本実施形態においては、エアセル１０の所定範囲における上側空気室１２のエア充填時の径ｄ１が、他の範囲における上側空気室１２を構成する第１の空気室２４のエア充填時の径ｄ２ａ、第２の空気室２６のエア充填時の径ｄ２ｂ及び下側空気室１４のエア充填時の径ｄ３それぞれよりも大きく設定されていることから、エアセル１０の所定範囲における上側空気室１２の表面が、他の範囲の表面よりも硬くなっている。
【００２６】
このように、エアセル１０のうち、長手方向両端側それぞれから、他端側に向けて所定長の範囲が、他の範囲よりも硬くなっているため、体圧分散性はそのままで、使い心地も良く、被介護者等の転落を防止し、さらに、安全な利用をも提供することができるようになっている。また、本実施形態では、図４〜６に示すように、エアセル１０の長手方向両端側それぞれから、他端側に向けて所定長の範囲においての上側空気室１２の上面側が、他の範囲においての上側空気室１２の上面側よりも上方に盛り上がるよう構成されている。
【００２７】
本実施形態においては、エアセル１０の断面周囲の長さは、何れの範囲においても同値であるため、他端側に向けて所定長の範囲においての下側空気室１４における断面周囲の長さを他の範囲における下側空気室１４における断面周囲の長さよりも短く構成することで、上側空気室１２の断面周囲の長さを他の範囲における上側空気室１２における断面周囲の長さよりも長くし、これにより、エア充填時、上側空気室１２の上面側が、他の範囲においての上側空気室１２の上面側よりも上方に盛り上がるように構成させるわけである。
【００２８】
なお、本実施形態では、上側空気室１２のうち、所定範囲においては、第１の空気室２４と、第２の空気室２６に分けられているが、これを分けずに１つの空気室として構成しても良い。
【産業上の利用可能性】
【００２９】
本発明は、エアセルの所定範囲が、他の範囲よりも硬く構成されていることから、体圧分散性はそのままで、使い心地も良く、転落防止等、被介護者等にとって安全な利用を提供するために好適に用いることができるものである。
【符号の説明】
【００３０】
１０  エアセル
１２  上側空気室
１４  下側空気室
１６  吊り部材
１７  通気部
１８  給気口
２０  ベッド
２２  エアマット
２４  第１の空気室
２６  第２の空気室
【図１】
2016158854.tif 000004
【図２】
2016158854.tif 000005
【図３】
2016158854.tif 000006
【図４】
2016158854.tif 000007
【図５】
2016158854.tif 000008
【図６】
2016158854.tif 000009